(57)【要約】【課題】省電力化を図りながら浮遊菌や付着菌の繁殖を防止できる冷蔵庫を提供する。【解決手段】扉２ａにより開閉される冷蔵室２（貯蔵室）と、イオンを発生するイオン発生装置１３０と、イオン発生装置１３０で発生したイオンを貯蔵室に送出するイオン送風機２３と、居室内の湿度を検知する湿度センサ５３と、を備え、居室内の湿度が所定の湿度範囲の標準状態ＨＳに対して低湿度の低湿状態ＨＬのときに、扉２ａを開いた際の送風機２３の回転数を標準状態ＨＳのときよりも大きくし、居室内の湿度が標準状態ＨＳに対して高湿度の高湿状態ＨＨのときに、扉２ａを閉じた際の送風機２３の回転数またはイオン発生装置１３０のイオン発生量を標準状態ＨＳのときよりも大きくした。【選択図】図５
2018054267.tif 000002
【特許請求の範囲】
【請求項１】
扉により開閉される貯蔵室と、
イオンを発生するイオン発生装置と、
前記イオン発生装置で発生したイオンを前記貯蔵室に送出する送風機と、
居室内の湿度を検知する湿度センサと、
を備え、居室内の湿度が所定の湿度範囲の標準状態に対して低湿度の低湿状態のときに、前記扉を開いた際の前記送風機の回転数を前記標準状態のときよりも大きくし、
居室内の湿度が前記標準状態に対して高湿度の高湿状態のときに、前記扉を閉じた際の前記送風機の回転数または前記イオン発生装置のイオン発生量を前記標準状態のときよりも大きくしたことを特徴とする冷蔵庫。
【請求項２】
居室内の温度を検知する温度センサを備え、
前記低湿状態で前記扉を開いた際の前記イオン発生装置のイオン発生量を、居室内の温度が所定温度よりも高温のときに低温のときよりも大きくしたことを特徴とする請求項１に記載の冷蔵庫。
【請求項３】
居室内の温度を検知する温度センサを備え、
前記高湿状態で前記扉を閉じた際の前記送風機の回転数を居室内の温度が所定温度よりも低温のときに前記標準状態のときよりも大きくまたは同じにするとともに、高温のときに低温のときよりも大きくしたことを特徴とする請求項１に記載の冷蔵庫。
【請求項４】
居室内の温度を検知する温度センサを備え、
前記高湿状態で前記扉を閉じた際の前記イオン発生装置のイオン発生量を居室内の温度が所定温度よりも低温のときに前記標準状態のときよりも大きくまたは同じにするとともに、高温のときに低温のときよりも大きくしたことを特徴とする請求項１に記載の冷蔵庫。
【請求項５】
前記高湿状態で前記扉を閉じた際に、前記送風機及び前記イオン発生装置を断続的に駆動することを特徴とする請求項１〜請求項４のいずれかに記載の冷蔵庫。
【発明の詳細な説明】
【技術分野】
【０００１】
本発明は、イオンを発生するイオン発生装置を備えた冷蔵庫に関する。
【背景技術】
【０００２】
イオンを発生するイオン発生装置を有する従来の冷蔵庫は特許文献１に開示されている。この冷蔵庫は扉により開閉される冷蔵室を有し、冷蔵室の背後には冷気通路が配される。冷気通路には複数の吐出口が冷蔵室に臨んで開口し、冷気通路の冷気流入側にはイオン発生装置及び送風機が配置されている。
【０００３】
イオン発生装置及び送風機を駆動すると、イオン発生装置で発生したイオンが冷気とともに冷気通路を流通した後に冷蔵室内に送出される。これにより、イオンにより浮遊菌や付着菌の作用を抑制して冷蔵室内が除菌される。
【先行技術文献】
【特許文献】
【０００４】
【特許文献１】特開２００９−１２１７８０号公報（第４頁〜第７頁、第３図、第４図）
【発明の概要】
【発明が解決しようとする課題】
【０００５】
居室内が低湿度になると浮遊菌を含む塵埃が舞い上がりやすく、貯蔵室内に侵入する浮遊菌が増加する。また、居室内が高湿度になると浮遊菌が活性化し、貯蔵室内に侵入する空気に含まれる浮遊菌が活発になる。これらにより、貯蔵室内で浮遊菌や付着菌が繁殖しやすくなる。一方、イオン発生装置によるイオン発生量及び送風機の風量を常に大きくすると浮遊菌や付着菌の繁殖を防止できるが、電力浪費が大きくなる。
【０００６】
本発明は、省電力化を図りながら浮遊菌や付着菌の繁殖を防止できる冷蔵庫を提供することを目的とする。
【課題を解決するための手段】
【０００７】
上記目的を達成するために本発明の冷蔵庫は、
扉により開閉される貯蔵室と、
イオンを発生するイオン発生装置と、
前記イオン発生装置で発生したイオンを前記貯蔵室に送出する送風機と、
居室内の湿度を検知する湿度センサと、
を備え、居室内の湿度が所定の湿度範囲の標準状態に対して低湿度の低湿状態のときに、前記扉を開いた際の前記送風機の回転数を前記標準状態のときよりも大きくし、
居室内の湿度が前記標準状態に対して高湿度の高湿状態のときに、前記扉を閉じた際の前記送風機の回転数または前記イオン発生装置のイオン発生量を前記標準状態のときよりも大きくしたことを特徴としている。
【０００８】
また本発明は、上記構成の冷蔵庫において、居室内の温度を検知する温度センサを備え、前記低湿状態で前記扉を開いた際の前記イオン発生装置のイオン発生量を、居室内の温度が所定温度よりも高温のときに低温のときよりも大きくすると好ましい。
【０００９】
また本発明は、上記構成の冷蔵庫において、居室内の温度を検知する温度センサを備え、前記高湿状態で前記扉を閉じた際の前記送風機の回転数を居室内の温度が所定温度よりも低温のときに前記標準状態のときよりも大きくまたは同じにするとともに、高温のときに低温のときよりも大きくすると好ましい。
【００１０】
また本発明は、上記構成の冷蔵庫において、居室内の温度を検知する温度センサを備え、前記高湿状態で前記扉を閉じた際の前記イオン発生装置のイオン発生量を居室内の温度が所定温度よりも低温のときに前記標準状態のときよりも大きくまたは同じにするとともに、高温のときに低温のときよりも大きくすると好ましい。
【００１１】
また本発明は、上記構成の冷蔵庫において、前記高湿状態で前記扉を閉じた際に、前記送風機及び前記イオン発生装置を断続的に駆動すると好ましい。
【発明の効果】
【００１２】
本発明によると、居室内が所定の標準状態に対して低湿の低湿状態のときに、扉を開いた際の送風機の回転数を標準状態のときよりも大きくする。これにより、低湿状態の居室内で舞い上がりやすい塵埃中の浮遊菌の貯蔵室内への侵入を防止することができる。また、居室内が標準状態に対して高湿の高湿状態のときに、扉を閉じた際の送風機の回転数またはイオン発生装置のイオン発生量を標準状態のときよりも大きくする。これにより、高湿状態の居室内で活性化して貯蔵室内に侵入した浮遊菌や付着菌を確実に除菌することができる。一方、標準状態及び高湿状態で扉を開いた場合や、標準状態及び低湿状態で扉を閉じた場合に、送風機またはイオン発生装置の電力消費が抑制される。したがって、冷蔵庫の省電力化を図りながら浮遊菌や付着菌の繁殖を防止することができる。
【図面の簡単な説明】
【００１３】
【図１】本発明の第１実施形態の冷蔵庫を示す正面図
【図２】本発明の第１実施形態の冷蔵庫を示す右側面断面図
【図３】本発明の第１実施形態の冷蔵庫を示す正面断面図
【図４】本発明の第１実施形態の冷蔵庫の構成を示すブロック図
【図５】本発明の第１実施形態の冷蔵庫のイオン送風機及びイオン発生装置の動作を示すタイムチャート
【図６】本発明の第２実施形態の冷蔵庫の構成を示すブロック図
【図７】本発明の第２実施形態の冷蔵庫のイオン送風機及びイオン発生装置の動作を示すタイムチャート
【発明を実施するための形態】
【００１４】
＜第１実施形態＞
以下に図面を参照して本発明の実施形態を説明する。図１は第１実施形態の冷蔵庫を示す正面図である。冷蔵庫１は上部に扉２ａで開閉される冷蔵室２（貯蔵室）が配される。冷蔵室２の下方には扉３ａ、４ａで開閉される冷凍室３及び製氷室４が左右に並設される。冷凍室３及び製氷室４の下方には扉６ａで開閉される冷凍室６が配され、冷凍室６の下方には扉５ａで開閉される野菜室５（貯蔵室）が配される。
【００１５】
冷蔵室２は冷蔵温度（例えば３℃）に維持されて貯蔵物を冷蔵保存し、野菜室５は冷蔵室２よりも高い冷蔵温度（例えば８℃）で野菜を冷蔵保存する。冷凍室３及び冷凍室６は互いに連通して貯蔵物を冷凍保存し、製氷室４は冷凍室３及び冷凍室６に連通して氷を製氷する。製氷室４、冷凍室３及び冷凍室６は氷点以下に維持される。
【００１６】
図２及び図３は冷蔵庫１の右側面断面図及び正面断面図をそれぞれ示している。製氷室４及び冷凍室３は断熱壁７により冷蔵室２と隔離され、冷凍室６と野菜室５とは断熱壁８により隔離される。
【００１７】
冷凍室３、冷凍室６、製氷室４及び野菜室５には貯蔵物を収納する収納ケース４３が設けられる。冷蔵室２には貯蔵物を載置する複数の収納棚４１が設けられる。冷蔵室２の扉２ａには複数の収納ポケット４２が設けられる。
【００１８】
また、冷蔵室２内の下部には上面が仕切板４１ａにより仕切られて隔離された隔離室から成るチルド室２１が設けられる。チルド室２１は冷蔵室２の他の領域よりも低温の例えばチルド温度帯（約０℃）に維持される。チルド室２１には貯蔵物を収納する収納ケース１０７が配される。なお、チルド室２１に替えて氷温（約−３℃）に維持される氷温室にしてもよい。
【００１９】
野菜室５の背後には機械室５０が設けられ、機械室５０内に圧縮機５７が配される。圧縮機５７には凝縮器、膨張器（いずれも不図示）及び冷却器１１が接続され、圧縮機５７の駆動によりイソブタン等の冷媒が循環して冷凍サイクルが運転される。これにより、冷却器１１が冷凍サイクルの低温側となる。
【００２０】
冷凍室６の背後には背面板６ｂで仕切られる冷気通路３１が設けられる。冷蔵室２の背後にはダンパ２０を介して冷気通路３１と連通する冷気通路３２が設けられる。冷気通路３１は仕切板３１ｃにより前部３１ａと後部３１ｂとに仕切られ、後部３１ｂに冷却器１１が配される。冷凍サイクルの低温側となる冷却器１１と冷気通路３１を流通する空気とが熱交換して冷気が生成される。
【００２１】
また、冷却器１１が冷凍室６の背面側に配されるため、冷却器１１の冷熱が仕切板３１ｃ、前部３１ａ、背面板６ｂを介して冷凍室６側へ放出される。このため、冷凍室６が効率よく間接冷却され、冷却効率が向上される。
【００２２】
冷気通路３１内には冷却器１１の上方に冷却送風機１２が配される。冷却送風機１２は軸流ファンから成り、排気側を前方上方に向けて配置される。冷気通路３１は冷却送風機１２の前面を開口し、冷却送風機１２によって製氷室４及び冷凍室３に冷気が送出される。製氷室４に連通する冷凍室６の下部には冷凍室戻り口２２が設けられる。冷凍室戻り口２２を介して冷凍室６から流出する冷気は冷却器１１の下部に戻る。
【００２３】
冷気通路３２の下端部は下流に向かって前後方向に流路を絞る流入部３２ｃが設けられる。流入部３２ｃの下端部にはイオン送風機２３（送風機）が配される。イオン送風機２３は軸流ファンから成り、軸方向を上下方向に向けて配置される。流入部３２ｃの下流側には流路を拡幅した拡幅部３２ｄが設けられる。拡幅部３２ｄにはチルド室２１に冷気を吐出する吐出口１０３ａ、１０３ｂがパネル１００に開口して設けられる。
【００２４】
拡幅部３２ｄの下流は第１分岐路３２ａ及び第２分岐路３２ｂに分岐する第１分岐路３２ａと第２分岐路３２ｂとの間には空間部１１１が形成される。第１分岐路３２ａ及び第２分岐路３２ｂの上部には冷気を吐出する吐出口１０４ａ、１０４ｂ、１０５ａ、１０５ｂが形成される。吐出口１０４ａ、１０４ｂはパネル１００の上部から側方に冷気を吐出する。吐出口１０５ａ、１０５ｂはパネル１００の上方に配され、前方に冷気を吐出する。
【００２５】
冷蔵室２の背面下部には冷蔵室流出口２ｂが開口し、野菜室５には野菜室流入口５ｂが設けられる。冷蔵室流出口２ｂと野菜室流入口５ｂとは冷凍室３の背面を通る連結路３４により連結され、冷蔵室２と野菜室５とが連通する。野菜室５の背面上部には冷気通路３１に連通する戻り通風路４６（図２参照）が設けられる。野菜室５から流出して戻り通風路４６を通る冷気は冷却器１１の下方に戻る。
【００２６】
また、断熱壁７にはイオン送風機２３の吸気側と冷蔵室２とを連通させる連通路２５が設けられる。ダンパ２０を閉じた状態でイオン送風機２３を駆動させると、冷気が冷気通路３２、冷蔵室２及び連通路２５を流通して循環する。ダンパ２０を開いた状態でイオン送風機２３を駆動させると、冷気が冷気通路３１、冷気通路３２、冷蔵室２及び野菜室５を流通して循環する。なお、イオン送風機２３はダンパ２０の開閉に拘わらず後述の扉センサ６０（図４参照）及び湿度センサ５３（図４参照）の検知結果に基づいて駆動される。
【００２７】
冷気通路３２の流入部３２ｃにはイオン発生装置１３０が配される。イオン発生装置１３０は平面視略矩形に形成され、電極（不図示）を有した電極面１３０ａが流入部３２ｃを上昇する冷気に沿って設けられる。
【００２８】
電極面１３０ａの電極には交流波形またはインパルス波形から成る電圧が印加される。電極面１３０ａの印加電圧が正電圧の場合は主としてＨ＋（Ｈ２Ｏ）ｍから成るプラスイオンを発生し、負電圧の場合は主としてＯ２−（Ｈ２Ｏ）ｎから成るマイナスイオンを発生する。ここで、ｍ、ｎは整数である。イオン発生装置１３０の放電回数（単位：回／秒）が大きいほど、イオン発生量は大きくなる。Ｈ＋（Ｈ２Ｏ）ｍ及びＯ２−（Ｈ２Ｏ）ｎは微生物の表面で凝集し、空気中の微生物等の浮遊菌や付着菌を取り囲む。
【００２９】
そして、式（１）〜（３）に示すように、衝突により活性種である［・ＯＨ］（水酸基ラジカル）やＨ２Ｏ２（過酸化水素）を微生物等の表面上で凝集生成して浮遊菌や付着菌の除菌を行う。したがって、電極面１３０ａから発生したプラスイオン及びマイナスイオンが流入部３２ｃを流通する冷気に含まれて冷蔵庫１の各貯蔵室の除菌を行うことができる。なお、ｍ’、ｎ’は整数である。
【００３０】
Ｈ＋(Ｈ２Ｏ)ｍ＋Ｏ２−(Ｈ２Ｏ)ｎ→・ＯＨ＋1/2Ｏ２＋(ｍ＋ｎ)Ｈ２Ｏ ・・・（１）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ 2・ＯＨ＋Ｏ２＋(ｍ＋ｍ'＋ｎ＋ｎ')Ｈ２Ｏ ・・・（２）
Ｈ＋(Ｈ２Ｏ)ｍ＋Ｈ＋(Ｈ２Ｏ)ｍ’＋Ｏ２−(Ｈ２Ｏ)ｎ＋Ｏ２−(Ｈ２Ｏ)ｎ’
→ Ｈ２Ｏ２＋Ｏ２＋(ｍ＋ｍ'＋ｎ＋ｎ')Ｈ２Ｏ ・・・（３）
【００３１】
また、上下方向に長いイオン発生装置１３０の長手方向は冷気の下流側が第２分岐路３２ｂに向かうように傾斜して配置される。右側に偏った流入部３２ｃを流通する冷気は右側の第１分岐路３２ａに流入しやすい。このため、イオン発生装置１３０を第２分岐路３２ｂに向かう方向に沿って配置することにより、冷気を第２分岐路３２ｂの方向に案内することができる。したがって、イオン発生装置１３０が風向板として機能し、第１分岐路３２ａ及び第２分岐路３２ｂに均一に冷気を流通させることができる。
【００３２】
流入部３２ｃでイオンを含んだ冷気は拡幅部３２ｄを流通して吐出口１０３ａ、１０３ｂからチルド室２１に吐出され、チルド室２１が除菌される。また、第１分岐路３２ａ及び第２分岐路３２ｂを流通して吐出口１０４ａ、１０４ｂ、１０５ａ、１０５ｂから冷蔵室２に吐出される。これにより、冷蔵室２及び冷蔵室２に連通する野菜室５が除菌される。
【００３３】
図４は冷蔵庫１の構成を示すブロック図である。冷蔵庫１は各部を制御する制御部４９を有する。制御部４９には、湿度センサ５３、イオン発生装置１３０、イオン送風機２３、冷却送風機１２、圧縮機５７、ダンパ２０及び扉センサ６０が接続される。
【００３４】
湿度センサ５３は冷蔵庫１の外面に配され、居室内の湿度（相対湿度）を検知する。扉センサ６０は冷蔵室２の扉２ａの開閉を検知する。扉センサ６０及び湿度センサ５３から制御部４９に入力される信号に基づいてイオン送風機２３及びイオン発生装置１３０の駆動が制御される。
【００３５】
上記構成の冷蔵庫１において、冷却器１１で生成された冷気は、冷却送風機１２の駆動により製氷室４に送出される。製氷室４に送出された冷気は製氷室４、冷凍室３及び冷凍室６を流通し、冷凍室戻り口２２から流出して冷却器１１に戻る。これにより、製氷室４、冷凍室３及び冷凍室６内が冷却される。
【００３６】
ダンパ２０が開かれると冷却送風機１２の排気側で分岐した冷気は冷気通路３２に流入する。冷気は流入部３２ｃで前後方向に絞られながら拡幅部３２ｄで左右に広がって流れる。これにより、冷気は急激に流通速度を下げて動圧を静圧に変換される。冷気の流通速度が低下することによって送風効率を向上することができる。
【００３７】
拡幅部３２ｄを流通する冷気の一部は吐出口１０３ａ、１０３ｂからチルド室２１に吐出される。吐出口１０３ａ、１０３ｂから吐出された冷気はチルド室２１内のケース１０７に流入してケース１０７内を冷却する。冷気通路３２に流入した冷気を直ちにチルド室２１に供給するため、ケース１０７内の貯蔵物はチルド室２１の外部よりも低温に冷却される。
【００３８】
冷気通路３２を流通する残りの冷気は左右に分岐した第１分岐路３２ａ及び第２分岐路３２ｂを上昇し、吐出口１０４ａ、１０４ｂ、１０５ａ、１０５ｂから冷蔵室２へ吐出される。これにより、冷蔵室２内の冷却が行われる。
【００３９】
冷蔵室２に吐出された冷気は収納棚４１や仕切板４１ａ上を前方へ流通し、これらに載置された貯蔵物と熱交換する。そして、扉２ａに設けた収納ポケット４２内の貯蔵物を冷却して下方に流れる。下方に流通する冷気は冷蔵室流出口２ｂ側の冷蔵室２の側壁とケース１０７の外側の間を通って冷蔵室流出口２ｂから連結路３４に流入する。
【００４０】
連結路３４を流通する冷気は野菜室５に流入する。野菜室５に流入した冷気は野菜室５内を流通し、野菜室５内を冷却する。野菜室５を流通した冷気は戻り通風路４６を介して冷却器１１に戻る。これにより、冷蔵室２及び野菜室５内が冷却され、設定温度になるとダンパ２０が閉じられる。
【００４１】
また、イオン発生装置１３０及びイオン送風機２３が駆動されると、イオンを含む冷気が冷蔵室２に吐出される。この時、ダンパ２０が閉じた状態ではイオンを含む冷気が連通路２５を介して冷気通路３２に流入する。これにより、イオンを含む冷気が冷蔵室２内を循環する。
【００４２】
また、ダンパ２０を開いた状態ではイオンを含む冷気が連結路３４を介して野菜室５に流入し、野菜室５を流通して冷気通路３１に流入する。これにより、イオンを含む冷気が冷蔵室２、野菜室５、製氷室４、冷凍室３及び冷凍室６を循環する。
【００４３】
図５（ａ）〜（ｃ）は、冷蔵庫１の冷却動作に並行して行われるイオン送風機２３及びイオン発生装置１３０の動作の一例を示すタイムチャートである。図５（ａ）は扉２ａの開閉状態を示している。図５（ｂ）はイオン送風機２３の回転数を示している。図５（ｃ）はイオン発生装置１３０のイオン発生量を示している。
【００４４】
時間ｔ２１〜ｔ３１は、居室内の湿度が所定の湿度範囲（本実施形態では２０％以上８０％以下）の標準状態ＨＳになっている。時間ｔ１１〜ｔ２１では居室内が標準状態ＨＳに対して低湿の低湿状態ＨＬ（本実施形態では、湿度が２０％よりも低い状態）になっている。時間ｔ３１〜ｔ４１は居室内が標準状態ＨＳに対して高湿の高湿状態ＨＨ（本実施形態では、湿度が８０％よりも高い状態）になっている。
【００４５】
標準状態ＨＳでは時間ｔ２１で扉２ａが閉じられており、時間ｔ２２で扉２ａが開かれて時間ｔ２３で閉じられる。標準状態ＨＳでは扉２ａの開閉に拘わらずイオン送風機２３は所定の回転数ＮＬ（例えば１０００ｒｐｍ）で駆動され、イオン発生装置１３０は所定のイオン発生量ＤＬ（例えば放電回数が１００回／秒）で駆動される。
【００４６】
低湿状態ＨＬの時間ｔ１１では扉２ａが閉じられており、時間ｔ１２で扉２ａが開かれて時間ｔ１３で閉じられる。低湿状態ＨＬで扉２ａが閉じられた際に、イオン送風機２３は標準状態ＨＳのときと同じ回転数ＮＬで駆動され、イオン発生装置１３０は標準状態ＨＳのときと同じイオン発生量ＤＬで駆動される。
【００４７】
時間ｔ１２で冷蔵室２の扉２ａが開かれた際に、イオン送風機２３は回転数ＮＬよりも大きい回転数ＮＨ（例えば２０００ｒｐｍ）で駆動される。また、イオン発生装置１３０は標準状態ＨＳと同じイオン発生量ＤＬで駆動される。
【００４８】
低湿状態ＨＬでは居室内の塵埃が空気中に舞い上がりやすいため、塵埃に含まれる細菌等の浮遊菌が空気中に多く浮遊する。このため、低湿状態ＨＬのときに冷蔵室２の扉２ａを開いた際のイオン送風機２３の回転数ＮＨを標準状態ＨＳのときよりも大きくする。これにより、冷蔵室２の前面側に向かって送出される冷気量が多くなり、居室内で舞い上がった塵埃の冷蔵室２内への侵入を防止することができる。
【００４９】
高湿状態ＨＨの時間ｔ３１では扉２ａが閉じられており、時間ｔ３２で扉２ａが開かれて時間ｔ３３で閉じられる。高湿状態ＨＨで扉２ａが閉じられた際に、イオン送風機２３は標準状態ＨＳのときよりも大きい回転数ＮＨで駆動される。また、イオン発生装置１３０は標準状態ＨＳのときよりも大きいイオン発生量ＤＨ（例えば、放電回数２６０回／秒）で駆動される。
【００５０】
時間ｔ３２で扉２ａが開かれた際に、イオン送風機２３は標準状態ＨＳのときと同じ回転数ＮＬで駆動される。また、イオン発生装置１３０は標準状態ＨＳのときと同じイオン発生量ＤＬで駆動される。
【００５１】
居室内が高湿状態ＨＨの場合には居室内の塵埃は空気中に舞い上がりにくいが、細菌等の浮遊菌や付着菌は活性化されて増殖しやすくなっている。このため、高湿状態ＨＨのときに、扉２ａを閉じた際のイオン送風機２３の回転数ＮＨ及びイオン発生装置１３０のイオン発生量ＤＨを標準状態ＨＳのときよりも大きくしている。これにより、高湿状態ＨＨの居室内で活性化して冷蔵室２内に侵入した細菌等の浮遊菌や付着菌を確実に除菌することができる。
【００５２】
また、高湿状態ＨＨでは居室内の塵埃が舞い上がりにくいため、扉２ａを開いた際に冷蔵室２内に浮遊菌が侵入する可能性が低い。このため、高湿状態ＨＨで扉２ａを開いた場合のイオン送風機２３の回転数ＮＬ及びイオン発生装置１３０のイオン発生量ＤＬを、扉２ａを閉じた場合よりも小さくして標準状態ＨＳと同じにしている。これにより、冷蔵庫１の消費電力を抑えることができる。
【００５３】
なお、イオン送風機２３の回転数ＮＬを０ｒｐｍとしてもよい。すなわち、低湿状態ＨＬで扉２ａが閉じている場合、高湿状態ＨＨで扉２ａが開いている場合及び標準状態ＨＳにおいて、イオン送風機２３を停止させてもよい。これにより、イオン送風機２３の長寿命化を図ることができるとともに、冷蔵庫１の消費電力をさらに抑えることができる。
【００５４】
また、イオン発生装置１３０のイオン発生量ＤＬは放電回数を０回／秒としてもよい。すなわち、高湿状態ＨＨで扉２ａが開いている場合、標準状態ＨＳ及び低湿状態ＨＬにおいて、イオン発生装置１３０を停止させてもよい。これにより、イオン発生装置１３０の長寿命化を図ることができるとともに、冷蔵庫１の消費電力をさらに抑えることができる。
【００５５】
なお、本実施形態では、高湿状態ＨＨのときに扉２ａを閉じた際のイオン送風機２３の回転数及びイオン発生装置１３０のイオン発生量の両方を標準状態ＨＳのときよりも大きくしているが、一方のみを標準状態ＨＳよりも大きくしてもよい。イオン送風機２３の回転数のみを大きくした場合は、イオン発生装置１３０で発生したイオンが電極面１３０ａ上で滞留することなく冷蔵室２に逐次送出される。これにより、標準状態ＨＳのときよりも確実に除菌することができる。
【００５６】
本実施形態によると、居室内が標準状態ＨＳに対して低湿の低湿状態ＨＬのときに、扉２ａを開いた際のイオン送風機２３（送風機）の回転数ＮＨを標準状態ＨＳのときよりも大きくする。これにより、低湿状態ＨＬの居室内で舞い上がりやすい塵埃中の浮遊菌の冷蔵室２（貯蔵室）内への侵入を防止することができる。また、標準状態ＨＳに対して高湿の高湿状態ＨＨのときに、扉２ａを閉じた際のイオン送風機２３の回転数ＮＨまたはイオン発生装置１３０のイオン発生量ＤＨを標準状態ＨＳのときよりも大きくする。これにより、高湿状態ＨＨの居室内で活性化して冷蔵室２内に侵入した浮遊菌や付着菌を確実に除菌することができる。一方、標準状態ＨＳ及び高湿状態ＨＨで扉２ａを開いた場合や、標準状態ＨＳ及び低湿状態ＨＬで扉２ａを閉じた場合に、イオン送風機２３またはイオン発生装置１３０の電力消費が抑制される。したがって、冷蔵庫１の省電力化を図りながら冷蔵室２内の浮遊菌や付着菌の繁殖を防止することができる。
【００５７】
＜第２実施形態＞
次に、本発明の第２実施形態について説明する。本実施形態では冷蔵庫１のイオン送風機２３及びイオン発生装置１３０の動作が前述の図１〜図５に示す第１実施形態と異なっている。その他の部分は第１実施形態と同様である。図６は本実施形態の冷蔵庫１の構成を示すブロック図である。説明の便宜上、前述の図１〜図５と同様の部分には同一の符号を付している。
【００５８】
制御部４９には、湿度センサ５３、イオン発生装置１３０、イオン送風機２３、冷却送風機１２、圧縮機５７、ダンパ２０、扉センサ６０及び温度センサ５４が接続される。温度センサ５４は冷蔵庫１の外面に配され、居室内の温度を検知する。扉センサ６０、湿度センサ５３及び温度センサ５４から制御部４９に入力される信号に基づいてイオン送風機２３及びイオン発生装置１３０の駆動が制御される。
【００５９】
図７（ａ）〜（ｃ）は、冷蔵庫１の冷却動作に並行して行われるイオン送風機２３及びイオン発生装置１３０の動作の一例を示すタイムチャートである。図７（ａ）は扉２ａの開閉状態を示している。図７（ｂ）はイオン送風機２３の回転数を示している。図７（ｃ）はイオン発生装置１３０のイオン発生量を示している。
【００６０】
時間ｔ１４〜ｔ１７、ｔ２４〜ｔ２７、ｔ３４〜ｔ３７では居室内の温度は所定の温度範囲（本実施形態では１５℃以上２５℃以下）の標準状態ＴＳになっている。時間ｔ１１〜ｔ１４、ｔ２１〜ｔ２４、ｔ３１〜ｔ３４では居室内の温度は標準状態ＴＳに対して低温の低温状態ＴＬ（本実施形態では１５℃よりも低い温度）になっている。時間ｔ１７〜ｔ２１、ｔ２７〜ｔ３１、ｔ３７〜ｔ４１では居室内の温度は標準状態ＴＳに対して高温の高温状態ＴＨ（本実施形態では２５℃よりも高い温度）になっている。なお、２５℃（上限温度）よりも高い温度ではカビや細菌等が増殖しやすくなっている。
【００６１】
標準状態ＨＳでは、時間ｔ２２、ｔ２５、ｔ２８で扉２ａが開かれ、時間ｔ２３、ｔ２６、ｔ２９で扉２ａが閉じられる。標準状態ＨＳでは、扉２ａの開閉及び居室内の温度に拘わらずイオン送風機２３は回転数ＮＬで駆動され、イオン発生装置１３０はイオン発生量ＤＬで駆動される。
【００６２】
低湿状態ＨＬの時間ｔ１２、ｔ１５、ｔ１８で扉２ａが開かれる。この時、イオン送風機２３は回転数ＮＬよりも大きい回転数ＮＨ１（例えば２０００ｒｐｍ）で駆動される。低湿状態ＨＬの時間ｔ１３、ｔ１６、ｔ１９で扉２ａが閉じられる。この時、第１実施形態と同様にイオン送風機２３は回転数ＮＬで駆動される。
【００６３】
以上のように、低湿状態ＨＬでは扉２ａが開かれた際に居室内の温度に拘わらずイオン送風機２３は回転数ＮＨ１で駆動される。これにより、低湿状態ＨＬの居室内で空気中に舞い上がりやすい塵埃中の細菌等の冷蔵室２内への侵入を防止することができる。
【００６４】
時間ｔ１２、ｔ１５、ｔ１８ではイオン発生装置１３０はそれぞれイオン発生量ＤＨ１、ＤＨ２、ＤＨ３で駆動される。この時、イオン発生量ＤＨ１、ＤＨ２、ＤＨ３では放電回数がそれぞれ例えば１５０回／秒、２６０回／秒、４００回／秒になっており、イオン発生量ＤＨ１、ＤＨ２、ＤＨ３の順でイオン発生量は大きくなる。なお、イオン発生量ＤＨ１はイオン発生量ＤＬよりも大きい。
【００６５】
すなわち、低湿状態ＨＬで扉２ａを開いた際のイオン発生装置１３０のイオン発生量を居室内の温度が高温の時に低温の時よりも大きくしている。これにより、低湿状態ＨＬの居室内で空気中に舞い上がる塵埃中の増殖しやすい浮遊菌等を確実に除菌することができる。
【００６６】
高湿状態ＨＨの時間ｔ３２、ｔ３５、ｔ３８で扉２ａが開かれる。この時、第１実施形態と同様にイオン送風機２３は回転数ＮＬで駆動される。
【００６７】
高湿状態ＨＨの時間ｔ３３、ｔ３６、ｔ３９で扉２ａが閉じられる。時間ｔ３３、ｔ３６、ｔ３９ではイオン送風機２３はそれぞれ回転数ＮＨ１（例えば２０００ｒｐｍ）、回転数ＮＨ２（例えば２５００ｒｐｍ）、回転数ＮＨ３（例えば３０００ｒｐｍ）で駆動される。回転数ＮＨ１、ＮＨ２、ＮＨ３の順で回転数は大きくなり、回転数ＮＨ１は回転数ＮＬよりも大きい。
【００６８】
本実施形態では、高湿状態ＨＨで扉２ａを閉じた際のイオン送風機２３の回転数を居室内の温度が上限温度（本実施形態では２５℃）よりも高温の時に低温の時よりも大きくし、上限温度よりも低温の時に標準状態ＨＳのときよりも大きくしている。これにより、増殖に適した高温の居室内の浮遊菌や付着菌等が冷蔵室２内に侵入した場合でも、電極面１３０ａ上のイオンを冷蔵室２内に逐次送出して浮遊菌や付着菌等を確実に除菌することができる。
【００６９】
高湿状態ＨＨの時間ｔ３３、ｔ３６、ｔ３９では、イオン発生装置１３０はそれぞれイオン発生量ＤＨ１、ＤＨ２、ＤＨ３で駆動される。
【００７０】
すなわち、高湿状態ＨＨで扉２ａを閉じた際のイオン発生装置１３０のイオン発生量を居室内の温度が上限温度よりも高温の時に低温の時よりも大きくし、上限温度よりも低温の時に標準状態ＨＳのときよりも大きくしている。これにより、増殖に適した高温の居室内の浮遊菌や付着菌が冷蔵室２内に侵入した場合でも、イオン発生装置１３０で発生した多くのイオンにより冷蔵室２内の浮遊菌や付着菌を確実に除菌ことができる。
【００７１】
高湿状態ＨＨの時間ｔ３２、ｔ３５、ｔ３８では、第１実施形態と同様にイオン発生装置１３０はイオン発生量ＤＬで駆動される。
【００７２】
本実施形態でも第１実施形態と同様の効果を得ることができる。また、低湿状態ＨＬで扉２ａを開いた際のイオン発生装置１３０のイオン発生量を、居室内の温度が所定の上限温度（２５℃）よりも高温のときに低温のときよりも大きくしている。これにより、低湿状態ＨＬの居室内で空気中に舞い上がる塵埃中の増殖しやすい浮遊菌を確実に除菌することができる。
【００７３】
また、高湿状態ＨＨで扉２ａを閉じた際のイオン送風機２３（送風機）の回転数を居室内の温度が上限温度よりも低温のときに標準状態ＨＳのときよりも大きくし、高温の時に低温の時よりも大きくしている。これにより、イオン発生装置１３０の電極面１３０ａ上のイオンを滞留させずに冷蔵室２内に逐次送出し、増殖に適した高温の居室内の浮遊菌や付着菌が冷蔵室２内に侵入した場合でも冷蔵室２内の浮遊菌や付着菌を確実に除菌することができる。
【００７４】
なお、高湿状態ＨＨで扉２ａを閉じた際のイオン送風機２３の回転数を居室内の温度が上限温度よりも低温の時に標準状態ＨＳのときと同じにしてもよい。これにより、冷蔵庫１の省電力化を図ることができる。
【００７５】
また、高湿状態ＨＨで扉２ａを閉じた際のイオン発生装置１３０のイオン発生量を居室内の温度が上限温度よりも低温のときに標準状態ＨＳのときよりも大きくするとともに、高温のときに低温のときよりも大きくしている。これにより、増殖に適した高温の居室内の浮遊菌や付着菌が冷蔵室２内に侵入した場合でも、イオン発生装置１３０で発生した多くのイオンにより冷蔵室２内の浮遊菌や付着菌を確実に除菌することができる。
【００７６】
なお、高湿状態ＨＨで扉２ａを閉じた際のイオン発生装置１３０のイオン発生量を居室内の温度が上限温度よりも低温の時に標準状態ＨＳのときと同じにしてもよい。これにより、冷蔵庫１の省電力化を図ることができる。
【００７７】
＜第３実施形態＞
次に、本発明の第３実施形態について説明する。本実施形態は高湿状態ＨＨで扉２ａを閉じた際のイオン送風機２３及びイオン発生装置１３０の動作が前述の図１〜図５に示す第１実施形態と異なっている。その他の部分は第１実施形態と同様である。
【００７８】
本実施形態では、高湿状態ＨＨで冷蔵室２の扉２ａを閉じた際に、イオン送風機２３及びイオン発生装置１３０を断続的に駆動している。これにより、イオン送風機２３及びイオン発生装置１３０の長寿命化を図ることができるとともに、冷蔵庫１の省電力化をより図ることができる。
【００７９】
また、高湿状態ＨＨで冷蔵室２の扉２ａを閉じたとき（時間ｔ３３）から所定時間だけイオン送風機２３を大きい回転数ＮＨで駆動させ、イオン発生装置１３０を大きいイオン発生量ＤＨで駆動させてもよい。この場合には、時間ｔ３１〜時間ｔ３２の間、及び該所定時間経過後から時間ｔ４１までの間のイオン送風機２３及びイオン発生装置１３０の駆動を抑えることができる。これにより、イオン送風機２３及びイオン発生装置１３０の長寿命化をより図ることができるとともに、冷蔵庫１の省電力化をより図ることができる。
【００８０】
本実施形態でも第１実施形態と同様の効果を得ることができる。
【００８１】
なお、第２実施形態において、高湿状態ＨＨで冷蔵室２の扉２ａを閉じた際に、イオン送風機２３及びイオン発生装置１３０を断続的に駆動してもよい。
【００８２】
第１実施形態〜第３実施形態において、イオン発生装置１３０のイオン発生量を放電回数によって可変しているが、印加電圧の増減によりイオンの発生量を可変してもよい。
【００８３】
第１実施形態〜第３実施形態において、扉２ａに扉センサ６０を設けているが、他の貯蔵室に扉センサを設け、該扉センサ及び湿度センサ５３の検知結果に基づいてイオン送風機２３及びイオン発生装置１３０の駆動を制御してもよい。また、該扉センサ、湿度センサ５３及び温度センサ５４の検知結果に基づいてイオン送風機２３及びイオン発生装置１３０の駆動を制御してもよい。
【産業上の利用可能性】
【００８４】
本発明は、イオンを発生するイオン発生装置を備えた冷蔵庫に利用することができる。
【符号の説明】
【００８５】
１    冷蔵庫
２    冷蔵室
２ａ  扉
３    冷凍室
４    製氷室
５    野菜室
６    冷凍室
７、８    断熱壁
１１    冷却器
１２    冷却送風機
２０    ダンパ
２２    冷凍室戻り口
２３    イオン送風機
３１、３２  冷気通路
３２ａ  第１分岐路
３２ｂ  第２分岐路
３２ｃ  流入部
３２ｄ  拡幅部
５３    湿度センサ
５４    温度センサ
５７    圧縮機
６０    扉センサ
１０３ａ、１０３ｂ、１０４ａ、１０４ｂ、１０５ａ、１０５ｂ  吐出口
１３０    イオン発生装置
１３０ａ  電極面
ＨＬ    低湿状態
ＨＳ    標準状態
ＨＨ    高湿状態
ＴＬ    低温状態
ＴＳ    標準状態
ＴＨ    高温状態
【図１】
2018054267.tif 000003
【図２】
2018054267.tif 000004
【図３】
2018054267.tif 000005
【図４】
2018054267.tif 000006
【図５】
2018054267.tif 000007
【図６】
2018054267.tif 000008
【図７】
2018054267.tif 000009